(57)【要約】【課題】最終的に排水されている水の再利用を提供する装置と方法を提供する。【解決手段】水処理システムであって、原水タンク（１０）と、逆浸透ユニット（２０）と、軟水化プラント（６２、６３）、逆洗可能を有する活性カーボンフィルタ（６４）、および／または、サンドフィルタ（６６）、の少なくとも１つを含む少なくとも１つの水処理設備（６０）と、再利用水フィードバックライン（３５）であって、再利用の必要性に応じて、ａ）前記逆浸透ユニット（２０）からの逆浸透排水として収集される中水、および、ｂ）前記活性カーボンフィルタ（６４）の逆洗サイクルから収集される水、を、前記軟水化プラント（６２）における軟水化剤の再生、前記活性カーボンフィルタ（６４）の逆洗、または前記サンドフィルタ（６６）の洗い流し、における再利用のために供給する水処理システム。【選択図】図１
2018144032.tif 000002
【特許請求の範囲】
【請求項１】
水処理システムであって、
水供給源（１５）に接続された原水タンク（１０）と、
原水供給ライン（２５）を介して前記原水タンク（１０）から導入される水から精製水を作り出すように構成された逆浸透ユニット（２０）と、
前記原水タンク（１０）の下流側、かつ、前記逆浸透ユニット（２０）の上流側で、前記原水供給ライン（２５）に沿って配設された少なくとも１つの水処理設備（６０）であって、軟水化プラント（６２、６３）、逆洗可能を有する活性カーボンフィルタ（６４）、および／または、サンドフィルタ（６６）、の少なくとも１つまたはそれ以上を含む少なくとも１つの水処理設備（６０）と、そして
再利用水フィードバックライン（３５）であって、再利用の必要性に応じて、
ａ）前記逆浸透ユニット（２０）からの排水の濃度が設定レベル未満であることが検出された場合に、前記逆浸透ユニット（２０）からの逆浸透排水として収集される中水、および、
ｂ）前記活性カーボンフィルタ（６４）の逆洗サイクルから収集される水、
を、前記軟水化プラント（６２）における軟水化剤の再生、前記活性カーボンフィルタ（６４）の逆洗、または、前記サンドフィルタ（６６）の洗い流し、における再利用のために供給する水処理システム。
【請求項２】
軟水化プラント（６２、６３）、逆洗可能を有する活性カーボンフィルタ（６４）、および／または、サンドフィルタ（６６）、の少なくとも１つまたはそれ以上を含む前記少なくとも１つの水処理設備（６０）は、当該水処理設備（６０）に原水が流入すること、および、当該水処理設備（６０）から前記水が流出すること、を許容する隔離バルブ（２９）セットを介して前記原水供給ライン（２５）に接続可能に構成されている請求項１に記載の水処理システム。
【請求項３】
前記軟水化プラント（６２、６３）は、食塩水ブライン（６３）で作動するように構成されている請求項２に記載の水処理システム。
【請求項４】
複数の水処理設備（６０）のうち、逆洗機能を備える前記活性カーボンフィルタ（６４）のみが前記再利用水フィードバックライン（３５）に接続される請求項２に記載の水処理システム。
【請求項５】
前記再利用水フィードバックライン（３５）に、節水貯蔵タンク（４０）が排水および中水バッファとして設けられ、前記再利用水フィードバックライン（３５）は、前記逆浸透ユニット（２０）および／または前記少なくとも１つの水処理施設（６０）から収集した排水および／または中水を、再利用のために前記原水タンク（１０）に戻す前に、前記節水貯蔵タンク（４０）に供給するように構成されている請求項１〜４のいずれか１項に記載の水処理システム。
【請求項６】
前記再利用水フィードバックライン（３５）の、前記節水貯蔵タンク（４０）の下流側に、粒径５μｍ以上の粒子を濾過除去する再利用水フィルタ（４４）が配設されている請求項５に記載の水処理システム。
【請求項７】
前記少なくとも１つの水処理設備（６０）の１つとして、粒径５μｍ以上の粒子を濾過除去する少なくとも１つのサンドフィルタ（６６）が、前記少なくとも１つの水処理設備（６０）の下流側でかつ前記逆浸透ユニット（２０）の上流側に逆洗可能に配設されている請求項１〜６のいずれか１項に記載の水処理システム。
【請求項８】
粒径２０μｍ以上の粒子を濾過除去する少なくとも１つの原水フィルタ（１２）が、前記原水タンク（１０）の上流側に逆洗可能に配設されている請求項１〜７のいずれか１項に記載の水処理システム。
【請求項９】
前記原水供給ライン（２５）の前記原水タンク（１０）の下流側、かつ、前記少なくとも１つの水処理設備（６０）の上流側に、少なくとも１つの原水ポンプ（２６）および圧力容器（２７）が配設され、
前記再利用水フィードバックライン（３５）に少なくとも１つの再利用水ポンプ（３６）およびストレーナ（３７）が配設され、そして、
高水位検出器および低水位検出器が、前記原水タンク（１０）内に再利用水を供給する前記再利用水フィードバックライン（３５）に接続配置され、高水位検出器と低水位検出器が、前記原水タンク（１０）内に原水を供給する前記原水供給ラインに接続配置され、これらは少なくとも原水ポンプ（２６）制御および再利用水ポンプ（３６）制御に使用される検出信号を出力するように構成されている請求項１〜８のいずれか１項に記載の水処理システム。
【請求項１０】
前記高水位検出器と低水位検出器とは、二つの別々の検出器回路中のセンサおよび／またはスイッチとして構成され、前記二つの別々の検出器回路の検出信号を出力するように構成され、そして、前記水処理システムは、前記検出信号に基づいて、独立した原水ポンプ（２６）および／または再利用水ポンプ（３６）制御、および／または、取り入れバルブ制御、を実行するように構成されている請求項９に記載の水処理システム。
【請求項１１】
水供給源（１５）に接続された原水タンク（１０）と、原水供給ライン（２５）を介して前記原水タンク（１０）から供給される水から精製水を作り出すように構成された逆浸透ユニット（２０）と、前記原水タンク（１０）の下流側、かつ、前記逆浸透ユニット（２０）の上流側で、前記原水供給ライン（２５）に沿って配設された少なくとも１つの水処理設備（６０）と、を有し、前記少なくとも１つの水処理設備（６０）が、軟水化プラント（６２、６３）、逆洗可能を有する活性カーボンフィルタ（６４）、および／または、サンドフィルタ（６６）、の少なくとも１つまたはそれ以上を含む水処理システムにおける水処理方法であって、
再利用の必要性に応じて、
ａ）前記逆浸透ユニット（２０）からの排水の濃度が設定レベル未満であることが検出された場合に、前記逆浸透ユニット（２０）からの逆浸透排水として収集される中水、および
ｂ）前記活性カーボンフィルタ（６４）の逆洗サイクルから収集される水、
を、前記軟水化プラント（６２）における軟水化剤の再生、前記活性カーボンフィルタ（６４）の逆洗、または、前記サンドフィルタ（６６）の洗い流し、における再利用のために供給する工程を有する水処理方法。
【発明の詳細な説明】
【技術分野】
【０００１】
本発明は、システムパーツまたは装置を含む水処理システムと、逆浸透ユニットを有する浄水システムでの水再利用のための方法と、に関し、特に、そのような装置および方法におけるカーボン逆洗および／または逆浸透排出からの水の再利用に関する。
【背景技術】
【０００２】
逆浸透（ＲＯ）は、たとえば水道水から、イオン、分子、および、大きな粒子、を除去するために半透膜を利用する浄水技術である。逆浸透では、加圧を使用して浸透圧、束一的性質（それは、溶媒の化学的ポテンシャルの差異によって生じる。）、熱力学的パラメータ、を克服する。逆浸透は、前記膜の加圧側に溶質を保持し、かつ、膜の反対側への純粋な溶媒の通過を許すことによって、溶解物質および浮遊物質を水から除去することができる。前記膜は、大きな分子またはイオンはその孔（穴）を通ることができない一方で、溶液の比較的小さな成分（溶媒分子など）はそれを自由に通過することができることによって、一種の選択性を有する。
【０００３】
逆浸透のプロセスは、脱イオン水の製造に使用することができる。脱イオン水とは、ナトリウム、カルシウム、鉄、銅、などの陽イオンや、塩素、硫酸イオン、などの陰イオンといった、ミネラルイオンのほとんど全部が除去された水である。脱イオン化は、水素イオンおよび水酸化物イオンを溶解ミネラルと交換し、その後、再結合させて水を形成する特殊製造されたイオン交換樹脂を使用する化学処理である。水に含まれる非粒状不純物の大半は溶解塩であるので、脱イオン化によって、蒸留水に概して類似する高純度水が作り出され、そして、この処理は迅速であり、スケールが沈積することが無い。
【０００４】
たとえば、透析処理においては、透析装置は透析流体の正しい組成を確保するために脱イオン水を必要とする。したがって、透析センタでは、通常、軟水化剤、カーボンフィルタ、および、逆浸透処理ユニット、によって水道水を処理する。
【０００５】
このようなシステムは、通常、その収率がわずか３０％である。そして、残りの水は、それは、処理のためのシステムにおいて使用済みであること、もしくは、イオン（大半はナトリウム）の濃度が増加していること、から、排水（中水）と見なされる。この流体の再利用は、溶解しているナトリウムの量が増大していること、および／または、システムにおいて使用済みであるために排水と見なされること、のために、一般的ではない。
【０００６】
透析液の処理は多量の水の消費を伴うので、本発明者は、浄水システムの水消費を分析し、その結果、投入された水の一部しか浄化水へと処理されず、水の大きな割合の多量の残余部分は最終的に排出されていることを見出した。
【０００７】
欧州特許出願公開第６７６３７２号明細書（特許文献１）は、逆浸透を利用した水道水製造のための装置および方法を開示し、軟水化剤の再生のために濃縮液を利用することを、その技術的な制約と共に記載している。
【先行技術文献】
【特許文献】
【０００８】
【特許文献１】欧州特許出願公開第６７６３７２号明細書
【発明の概要】
【発明が解決しようとする課題】
【０００９】
上記に鑑みて、本発明の課題は、現在においては最終的に排水されている水の再利用、すなわち、これまではドレンに送られてきた水の再利用、を提供する装置と方法を提供することにある。
【課題を解決するための手段】
【００１０】
本発明によれば、この課題は、請求項１に定義される水処理システム、および、請求項１０に定義される水処理方法、によって達成される。本発明の有利なさらなる発展構成は付随する従属請求項の発明である。
【００１１】
本発明の基礎となる一般的概念は、様々な水処理処置の単一または組み合わせ利用にある。
【００１２】
第１処置において、カーボンフィルタの逆洗サイクルからの水、すなわち、カーボン逆洗に使用された水、を保持タンクに収集する。この収集した水を濾過し、再利用の必要性に応じて、原水タンクに戻す。濃度をチェックするために逆浸透排水をモニタリングし、その濃度が設定レベル未満であれば、それを前記カーボン逆洗水と共に再利用のために前記保持タンクに送る。
【００１３】
第２処置においては、濃縮液および／または中水を使用してチャコールフィルタを再生する。前記逆洗（ＲＯ）のドレンからのある量の中水を使用して軟水化剤を再生する。この軟水化剤（たとえば、イオン交換物質）は、食塩水ブラインを使用して水道水からカルシウムとマグネシウムを除去する。その軟化水には、すでに高い率のナトリウムが含まれており、これは逆浸透によってさらに高い濃度へと濃縮される。この濃縮水は、再生用の食塩水ブラインを作り出すために利用することができ、これによって、潜在的に、ある程度の量の食塩ペレットを削減することができる。したがって、上記第２処置を使用することによって、水だけでなく食塩も節約することができる。
【００１４】
第３処置において、濃縮水および／または中水を使用してサンドフィルタを洗浄する。サンドフィルタは、水道水の物理的汚染物を濾過除去するように構成されている。汚染物を洗い出しサンドベッドをほぐすために、それらは定期的に逆洗する必要がある。洗浄液の質に関する要件は無い。
【００１５】
好適には、上述した諸処置のいずれか１つまたは複数の組み合わせを使用するように構成されたシステムまたは装置および方法は、通常であればドレンに送られる多量の水を再利用することを可能するものであり、この水の再利用を通じて環境上およびコスト上の利益を提供する。また、大きな割合の食塩が再利用されるので食塩の消費も低減することができる。
【００１６】
より具体的には、本発明の一態様によれば、水供給源に接続された原水タンクと、原水供給ラインを介した前記原水タンクからの供給水から精製水を作り出すように構成された逆浸透ユニットと、前記原水タンクの下流側、かつ、前記逆浸透ユニットの上流側で、前記原水供給ラインに沿って配設された少なくとも１つの水処理設備と、前記逆浸透ユニットおよび／または前記少なくとも１つの水処理設備から収集された排水および／または中水を再利用のために前記原水タンクに戻し供給するように構成された再利用水フィードバックライン、とを有する、水処理システムが提供される。
【００１７】
前記少なくとも１つの水処理設備は、軟水化プラント、逆洗機能を備えた活性炭フィルタ、および／または、サンドフィルタ、のうちの単数または複数を備えることができ、原水が前記水処理施設に流入し、かつ、当該水処理施設から流出する、ことを可能にする隔離バルブセットを介して前記原水供給ラインに接続可能に構成することができる。
【００１８】
前記軟水化プラントは、食塩水ブラインで作動するように構成することができる。
【００１９】
複数の水処理設備の内、逆洗機能を備える活性カーボンフィルタのみを前記再利用水フィードバックラインに接続することができる。
【００２０】
前記再利用水フィードバックラインに、排水および中水バッファとして、節水貯蔵タンクを設けることができ、そして、前記再利用水フィードバックラインを、前記逆浸透ユニットおよび／または前記少なくとも１つの水処理施設から収集した排水および／または中水を、再利用のために前記原水タンクに戻す前に、前記節水貯蔵タンクに供給するように構成することができる。
【００２１】
前記再利用水フィードバックラインの前記節水貯蔵タンクの下流側に、粒径５μｍ以上の粒子を濾過除去する再利用水フィルタを配設することができる。
【００２２】
前記少なくとも１つの水処理設備の１つとして、粒径５μｍ以上の粒子を濾過除去する少なくとも１つの最終水フィルタを、前記少なくとも１つの水処理設備の下流側でかつ前記逆浸透ユニットの上流側に逆洗可能に配設することができる。
【００２３】
２０μｍ以上の粒径を濾過除去する少なくとも１つの原水フィルタを、前記原水タンクの上流側に逆洗可能に配設することができる。
【００２４】
前記原水供給ラインの前記原水タンクの下流側、かつ、前記少なくとも１つの水処理設備の上流側に、少なくとも１つの原水ポンプと圧力容器を配設することができ、前記再利用水フィードバックラインに少なくとも１つの再利用水ポンプと、ストレーナと、を配設することができ、そして、高水位検出器および低水位検出器を、前記原水タンク内に原水を供給する前記原水供給ラインに、かつ、それに接続して配設し、かつ、少なくとも原水ポンプと再利用水ポンプ制御とに使用される検出信号を出力するように構成することができる。
【００２５】
本発明の別の態様によれば、水供給源に接続された原水タンクと、原水供給ラインを介した前記原水タンクからの供給水から精製水を作り出すように構成された逆浸透ユニットと、前記原水タンクの下流側、かつ、前記逆浸透ユニットの上流側で、前記原水供給ラインに沿って配設された少なくとも１つの水処理設備と、とを有する、水処理システムにおける水処理方法であって、前記逆浸透ユニットおよび／または前記少なくとも１つの水処理設備から収集された排水および／または中水を、再利用のために前記原水タンクに戻す工程を有する方法が提供される。
【００２６】
ここでの使用において、ここに記載され言及される前記水処理システムを構成する前記装置、構造、形状、および／または、構成要素は、使用および／または作動時に、適切配置され接続される多かれ少なかれ事前に設定される形状および／または使用および／または作動時に適切に配置され接続される別々のパーツ、を提供するように構成することができる。
【図面の簡単な説明】
【００２７】
以下、本発明を、その好適な実施形態により、添付の図面を参照して詳細に説明する。
【００２８】
【図１】実施形態における水再利用を対象とする水処理システムスキームの概略図。
【００２９】
なお、図面を通して図示される類似または同様のパーツは、類似の参照番号が付され、その詳細については繰り返し記載、説明されない。また、図面全体を通じて、本発明の説明に対して直接的な重要性を持たない部分および／または構成要素は、前記スキームのより重要なパーツをより良く示すために省略または隠されることもあることが銘記される。
【発明を実施するための形態】
【００３０】
図１に図示されているように、本実施形態における水処理システムは、当該システムに対して水道水または原水を供給する水供給源１５に接続された原水タンク１０と、原水供給ライン２５を介して前記原水タンク１０から供給された水から精製水を作るように構成された逆浸透プラントまたはユニット２０と、前記原水タンク１０の下流側かつ前記逆浸透プラント２０の上流側で前記原水供給ライン２５に沿って配設された少なくとも１つの水処理設備６０と、前記逆浸透プラント２０および／または前記少なくとも１つの水処理設備６０から収集した排水および／または中水を再利用のために前記原水タンク１０に戻し供給するように構成された再利用水フィードバックライン３５と、を有する。このような水処理システムにおける水処理方法において、前記逆浸透プラント２０および／または前記少なくとも１つの水処理設備６０から収集した排水および／または中水は、再利用のために前記原水タンク１０に戻し供給される。
【００３１】
本実施形態において、前記原水供給ライン２５の前記原水タンク１０の下流側には、少なくとも１つの第１ポンプ２６が設けられ、これは、前記原水供給ライン２５を通じて前記原水タンク１０から必要量の原水を前記逆浸透プラント２０に向けて搬送するように構成されている。前記原水供給ライン２５の並列ポンプ取り付け支流部に二つのポンプ２６を設け、前記並列ポンプ取り付け支流部の少なくとも一方に圧力容器２７を設置することが好ましい。
【００３２】
同様に、前記再利用水フィードバックライン３５の節水貯蔵タンク４０の下流側に第２ポンプ３６が設けられ、これは、前記節水貯蔵タンク４０からこの節水貯蔵タンク４０内に貯蔵された必要量の排水および／または中水を前記原水タンク１０に向けて搬送するように構成されている。
【００３３】
必要な箇所において流体圧を検出するために、それぞれ、図１に示した流路に沿って白丸によって示されている所定数の圧力計２８を、前記水処理システム内の各所定位置に分布配置することができる。
【００３４】
また、所定数の手動および／または自動制御隔離バルブ２９（図１において、それぞれ互いに対向する単条実線の三角形によって示される。）を、必要な箇所において流路を開閉することを可能にするため、あるいは、流体が所定位置（チェックバルブ２４の位置）の後方から逆流することを防止し、それによって流体（水）を、必要に応じて、制御および案内するため、ならびに、流すようにまたは流さないようにするために、前記水処理システムの前記流路内の各所定位置に配設することができる。
【００３５】
図１に図示されているように、所定の形状の隔離バルブ２９が、前記原水供給ライン２５に沿って前記少なくとも１つの水処理設備６０の接続ポイントに、前記原水供給ライン２５が、前記逆浸透プラント２０に向かって流れる原水の全部または一部を前記水処理設備に強制的に流入させるように、当該水処理設備６０への入口とその出口との間で、閉止する、あるいは少なくとも部分的に閉止することを可能とするように、設けられている。もちろん、前記隔離バルブ２９の形状は、たとえば、その機能が不要であるとき、または、なんらかのメンテナンスが必要なときのように、前記水処理設備を完全に迂回するべく、流体が当該水処理設備に流入しないように構成することも可能である。
【００３６】
換言すると、装置入口または流体通路分岐ポイントにおける前記隔離バルブ２９の形状は、複数の流体通路を選択的に接続または接続解除するように構成された制御可能な多方向バルブとして作動するように構成することができる。
【００３７】
さらに、本実施形態による前記水処理システムは、
それぞれが主として余剰またはオーバーフローする流体と水を最終排出するべく、たとえば排水をドレンに送る所定数の流体ドレン（図１において矢印とシンクシンボルで示される。）と、定数のサンプルポイント２１（図１において互いに対向する小さな二つの三角形によって示される）と、必要な場合に処理流体の検出または採取を可能にするために設けられる導電性プローブポイント２２と、流体制御の向上のために配設される所定数のソレノイドバルブ２３と、を備えている。
【００３８】
本実施形態による前記水処理システムは、仮想的に二つの部分に分割することができる。第１部分（図１において実線によって示されている。）は、前記原水タンク１０と前記原水供給ライン２５と、さらに場合によっては、前記少なくとも１つの水処理設備（またはユニット、装置、あるいは、ステーション）６０を介して、前記逆浸透プラント２０へ原水または水道水を供給することができる。第２部分（図１において破線で示されている。）は、前記逆浸透プラント２０から出発し、前記再利用水フィードバックライン３５に沿って、前記逆浸透プラント２０および前記少なくとも１つの水処理設備６０から排水および／または中水を収集し、この収集した再利用流体または水をバッファとして機能する前記節水貯蔵タンク４０を介して前記原水タンク１０に戻し供給する排水および／または中水再利用フィードバック経路とすることができる。前記節水貯蔵タンク４０の上流側で前記再利用水フィードバックライン３５にストレーナ３７を挿入することができる。
【００３９】
本実施形態において、少なくとも１つの水処理設備６０は、たとえば、二連軟水化プラント６２、逆洗機能を備える二つの活性炭フィルタ６４、および、二つのサンドフィルタ６６、を含む。これらの設備または装置のそれぞれは、上述したような隔離バルブ２９の各セットを介して前記原水供給ライン２５に接続可能であり、原水が各水処理設備に流入し、かつ、そこでの処理後、当該水処理設備から流出することを可能にする。
【００４０】
本実施形態において、前記二連軟水化プラント６２は、溶質リザーバ６３から供給される食塩水ブラインで作動するように構成されている。この食塩水ブラインは、その場で食塩ペレットを使用して準備することができるが、あるいは、その他の方法で前記溶質リザーバ６３に満たすことも可能である。
【００４１】
前記二連軟水化プラント６２において、本実施形態は、軟水化剤を再生するために、中水、あるいは、前記逆浸透ドレンから戻し供給された中水のいくらかの量を使用することを特徴とする。これによって達成される効果は非常に大きい。なぜならば、前記軟水化剤（イオン交換物質）は、水道水からカルシウムおよびマグネシウムを除去するために食塩水ブラインを利用するからである。軟化された水には、すでに高い率のナトリウムが含まれているが、これは逆浸透によってさらに高い濃度へと濃縮される。この濃縮水は、再生用の食塩水ブラインを作り出すために利用することができ、これによって、潜在的に、ある程度の量の食塩ペレットを削減することができる。したがって、上記第２処置を使用することによって、水だけでなく食塩も節約することができる。
【００４２】
さらに、前記活性炭フィルタ６４において、本実施形態は、当該炭素フィルタの逆洗サイクルから水を収集することを特徴とする。炭素フィルタは、塩素およびその他のイオンを吸着するために使用されるものであり、その粒子構造をほぐすために、逆洗を必要する。炭素フィルタの逆洗に使用された水には、追加物質が過剰に含有されておらず、したがって、再利用可能であり、それゆえ、この水を濾過して前記原水タンク１０に戻す。図１に図示されているように、逆洗水を収集するために、逆洗機能を有する活性炭フィルタのみが前記再利用水フィードバックライン３５に接続されている。
【００４３】
本実施形態の別の水処理設備６０として、単数または複数のサンドフィルタ６６が設けられ、これは、絶対値５μｍ以上の粒径を濾過除去する少なくとも１つの最終水フィルタとして、前記逆浸透プラント２０の上流側に逆洗可能に配設される。サンドフィルタは、水道水から汚染物を濾過除去するように構成され、汚染物を洗い出しサンドベッドをほぐすために定期的に逆洗する必要がある。洗浄液の質に対する要件は特に無いので、前記再利用水をフィルタ洗浄処理のために使用することができる。
【００４４】
前記節水貯蔵タンク４０は、前記再利用水フィードバックライン３５中の排水（たとえば、前記逆浸透プラント２０からの排水）および中水（たとえば、前記逆浸透プラントおよび／または前記炭素フィルタ６４からの中水）バッファとして構成され、前記再利用水フィードバックラインは、前記逆浸透プラントプラント２０および／または前記少なくとも１つの水処理設備６０から収集した排水および／または中水を前記節水貯蔵タンク４０内に戻し供給するように構成されている。
【００４５】
前記節水貯蔵タンクに収集された水を再利用のために前記原水タンク１０に戻し供給する前に、たとえば粒径５μｍ以上の粒子を濾過除去するように構成された再利用水フィルタ４４が、前記再利用水フィードバックライン３５の前記節水貯蔵タンク４０の下流側に配設されている。
【００４６】
本実施形態による前記水処理システムは、粒径２０μｍ以上の粒子を濾過除去するように構成された少なくとも１つの逆洗可能原水フィルタ１２を備えることができる。この原水フィルタ１２は、前記原水タンク１０の上流側に配置することができる。
【００４７】
前記原水タンク１０にはかなりの流入がありうるので、当該原水タンク１０に、再利用水をこの原水タンク１０に供給する前記再利用水フィードバックライン３５に接続された高流体水位検出器および低流体水位検出器、さらに、当該原水タンク１０に原水を供給する原水供給ラインに接続された高流体水位検出器および低流体水位検出器、を備えることができる。センサ、スイッチ、などとすることができるこれらの検出器は、たとえば、原水ポンプ２６、および／または、再利用水ポンプ３６の制御、および／または、取り入れバルブ制御、に使用される検出信号を出力するように構成することができる。二つの別々の検出器回路を設けることは、それぞれの制御を独立に実行することができる点において有利である。
【００４８】
上述したように、本発明による前記システムおよび方法は、これまでドレンに送られていた多量の水の再利用を可能にし、したがって、この水の再利用を通じて環境的および経済的な利益を達成する。また、驚異的な比率の食塩が再利用されるので食塩の消費の大幅な削減が達成される。
【００４９】
重量、絶対長、幅および厚み、着色、形状および細かい詳細、は図示されていないが、これらの仕様は、当業者に理解されるであろうことから、上述した本発明の範囲に含まれる。また、図面に図示されここに記載された具体的なテキスト、順序および内容は図示と例示のためのもの過ぎず、前記装置、システムおよびその作動はそれらによって限定されるものではない。
【００５０】
したがって、そのようなものであるから、本発明は、記載された好適な実施形態およびその変更構成に限定されるものではなく、当業者は、添付の請求項に定義された範囲に含まれるすべての実施形態、変更構成および均等物を想起するであろう。
【図１】
2018144032.tif 000003